【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
現在コーディングユニットについての動き情報を決定することと、前記現在コーディングユニットは、マージモードを使用してコーディングされる予測ユニットの第１のセットと、マージモード以外のインター予測モードを使用してコーディングされる予測ユニットの第２のセットとを備える、
前記現在コーディングユニットについての照明補償ステータスを決定することと、前記コーディングユニットについての前記照明補償ステータスは、照明補償が前記コーディングユニットのために使用されるか否かを表す、
前記現在コーディングユニットについて決定された前記動き情報および前記照明補償ステータスに基づいて、前記現在コーディングユニットを復号することと、前記現在コーディングユニットについて決定された前記補償ステータスは、前記予測ユニットの第２のセットのために使用され、前記予測ユニットの第１のセットのために使用されず、前記予測ユニットの第１のセットは、前記予測ユニットの第１のセットのそれぞれの候補ブロックから決定された照明ステータスを使用して復号される、
を備え、
前記現在コーディングユニットが、前記現在コーディングユニットの前記動き情報を符号化ビットストリーム中で明示的にシグナリングするインター予測モードを使用してコーディングされるとき、前記現在コーディングユニットについての前記照明補償ステータスは、前記符号化ビットストリーム中で明示的にシグナリングされる、
方法。
【請求項２】
ビデオデータを符号化する方法であって、
現在コーディングユニットについての動き情報を決定することと、前記現在コーディングユニットは、マージモードを使用してコーディングされる予測ユニットの第１のセットと、マージモード以外のインター予測モードを使用してコーディングされる予測ユニットの第２のセットとを備える、
前記現在コーディングユニットについての照明補償ステータスを決定することと、前記コーディングユニットについての前記照明補償ステータスは、照明補償が前記コーディングユニットのために使用されるか否かを表す、
前記現在コーディングユニットについて決定された前記動き情報および前記照明補償ステータスに基づいて、前記現在コーディングユニットを符号化することと、前記現在コーディングユニットについて決定された前記照明補償ステータスは、前記予測ユニットの第２のセットのために使用され、前記予測ユニットの第１のセットのために使用されず、前記予測ユニットの第１のセットは、前記予測ユニットの第１のセットのそれぞれの候補ブロックから決定された照明ステータスを使用して符号化される、
を備え、
前記現在コーディングユニットが、前記現在コーディングユニットの前記動き情報を符号化ビットストリーム中で明示的にシグナリングするインター予測モードを使用してコーディングされるとき、前記現在コーディングユニットについての前記照明補償ステータスは、前記符号化ビットストリーム中で明示的にシグナリングされる、
方法。
【請求項３】
前記照明補償ステータスは、前記コーディングユニットのパーティションタイプにさらに基づく、請求項１または請求項２に記載の方法。
【請求項４】
前記現在ブロックについての前記照明補償ステータスに基づいて、前記現在ブロックのための重み付け予測を選択的にイネーブルにすることをさらに備える、請求項１または請求項２に記載の方法。
【請求項５】
前記現在コーディングユニットのために照明補償が使用されるとき、前記現在コーディングユニットのための重み付け予測をディセーブルにすることをさらに備える、請求項４に記載の方法。
【請求項６】
前記現在コーディングユニットのために重み付け予測が使用されるかどうかに基づいて、前記現在コーディングユニットのための照明補償を選択的にイネーブルにすることをさらに備える、請求項１または請求項２に記載の方法。
【請求項７】
前記現在コーディングユニットのために重み付け予測が使用されるとき、前記現在コーディングユニットのための前記照明補償をディセーブルにすることをさらに備える、請求項６に記載の方法。
【請求項８】
前記現在コーディングユニットに対して照明補償と重み付け予測の両方を実行することをさらに備える、請求項１または請求項２に記載の方法。
【請求項９】
ビデオデータを復号する装置であって、
ビデオデータを記憶するように構成されたメモリと、
プロセッサと、を備え、前記プロセッサは、
現在コーディングユニットについての動き情報を決定することと、前記現在コーディングユニットは、マージモードを使用してコーディングされる予測ユニットの第１のセットと、マージモード以外のインター予測モードを使用してコーディングされる予測ユニットの第２のセットとを備える、
前記現在コーディングユニットについての照明補償ステータスを決定することと、前記コーディングユニットについての前記照明補償ステータスは、照明補償が前記コーディングユニットのために使用されるか否かを表す、
前記現在コーディングユニットについて決定された前記動き情報および前記照明補償ステータスに基づいて、前記現在ブロックを復号することと、前記現在コーディングユニットについて決定された前記照明補償ステータスは、前記予測ユニットの第２のセットのために使用され、前記予測ユニットの第１のセットのために使用されず、前記予測ユニットの第１のセットは、前記予測ユニットの第１のセットのそれぞれの候補ブロックから決定された照明ステータスを使用して復号される、
を行うように構成され、
前記現在コーディングユニットが、前記現在コーディングユニットの前記動き情報を符号化ビットストリーム中で明示的にシグナリングするインター予測モードを使用してコーディングされるとき、前記現在コーディングユニットについての前記照明補償ステータスは、前記符号化ビットストリーム中で明示的にシグナリングされる、
装置。
【請求項１０】
ビデオデータを符号化する装置であって、
ビデオデータを記憶するように構成されたメモリと、
プロセッサと、を備え、前記プロセッサは、
現在コーディングユニットについての動き情報を決定することと、前記現在コーディングユニットは、マージモードを使用してコーディングされる予測ユニットの第１のセットと、マージモード以外のインター予測モードを使用してコーディングされる予測ユニットの第２のセットとを備える、
前記現在コーディングユニットについての照明補償ステータスを決定することと、前記コーディングユニットについての前記照明補償ステータスは、照明補償が前記コーディングユニットのために使用されるか否かを表す、
前記現在コーディングユニットについて決定された前記動き情報および前記照明補償ステータスに基づいて、前記現在ブロックを符号化することと、前記現在コーディングユニットについて決定された前記照明補償ステータスは、前記予測ユニットの第２のセットのために使用され、前記予測ユニットの第１のセットのために使用されず、前記予測ユニットの第１のセットは、前記予測ユニットの第１のセットのそれぞれの候補ブロックから決定された照明ステータスを使用して復号される、
を行うように構成され、
前記現在コーディングユニットが、前記現在コーディングユニットの前記動き情報を符号化ビットストリーム中で明示的にシグナリングするインター予測モードを使用してコーディングされるとき、前記現在コーディングユニットについての前記照明補償ステータスは、前記符号化ビットストリーム中で明示的にシグナリングされる、
装置。
【請求項１１】
前記照明補償ステータスは、前記コーディングユニットのパーティションタイプにさらに基づく、請求項９または請求項１０に記載の装置。
【請求項１２】
前記プロセッサは、前記現在ブロックについての前記照明補償ステータスに基づいて、前記現在コーディングユニットのための重み付け予測をイネーブルにするようにさらに構成される、請求項９または請求項１０に記載の装置。
【請求項１３】
前記プロセッサは、前記現在コーディングユニットのために重み付け予測が使用されるかどうかに基づいて、前記現在コーディングユニットのための照明補償を選択的にイネーブルにするようにさらに構成される、請求項９または請求項１０に記載の装置。
【請求項１４】
前記プロセッサは、前記現在コーディングユニットに対して照明補償と重み付け予測の両方を実行するようにさらに構成される、請求項９または請求項１０に記載の装置。
【請求項１５】
プロセッサによって実行されると、前記プロセッサに、請求項１〜８のうちの何れか一項にしたがった方法を実行させる命令を記憶したコンピュータ可読媒体。